(57)【特許請求の範囲】
【請求項１】
郵送された郵便物または宅配された荷物の盗難に係るアラーム情報を通知するインターホン親機と前記インターホン親機と接続されるインターホン子機から成るインターホンシステムであって、
前記インターホン子機は、
前記郵便物または宅配荷物を収容する所定の収容箱に取り付けられ、前記収容箱に収容されている郵便物または宅配荷物を取出すための取出部の開を検知するセンサ、およびまたは前記収容箱に郵便物または宅配荷物が収容されているか否かを検知するセンサから前記検知した前記取出部の開およびまたは前記収容箱に収容されている郵便物または宅配荷物の一部または全てが取り出されたか否かに係る取出情報を受信する手段を有し、
前記受信した前記取出情報を前記インターホン親機へ送信し、
前記インターホン親機は、
前記インターホン子機から前記取出情報を受信する手段と、自インターホン親機が設置された居住空間の所定の出入口の開を検知するセンサから前記出入口の開に係る出入口開情報を受信する手段と、を有し、前記取出情報を受信してから予め定められた所定の時間内に、前記出入口開情報を受信しなかった場合に、自インターホン親機が備える表示部にアラーム情報を表示するまたは所定の宛先に通知することを特徴とする収容箱内の盗難アラーム機能を有するインターホンシステム。
【請求項２】
請求項１に記載のインターホンシステムにおいて、
前記インターホン親機または前記インターホン子機は前記取出部の開およびまたは前記収容箱に収容されている郵便物または宅配荷物の一部または全ての取り出しを検知した場合に、当該検知した時刻に係る情報と、前記時刻に対応する映像情報を前記収容箱の近傍を撮像する所定の監視カメラおよびまたは前記収容箱の内部に設置され収容箱内の郵便物または宅配荷物を撮像する収容箱内カメラおよびまたは前記収容箱の外部に設置され収容箱内の郵便物または宅配荷物の取出者を撮像する収容箱外カメラが撮影した映像情報を蓄積する映像情報蓄積装置から取得することを特徴とする収容箱内の盗難アラーム機能を有するインターホンシステム。
【請求項３】
請求項１または請求項２に記載のインターホンシステムにおいて、
前記出入口の開に係る出入口開情報を、自インターホン親機が設置された居住空間の所定の出入口の施錠を検知するセンサから受信することを特徴とする収容箱内の盗難アラーム機能を有するインターホンシステム。
【発明の詳細な説明】
【技術分野】
【０００１】
本発明は、郵便物または宅配荷物を収容する収容箱と連動するインターホンシステムに関し、特に収容箱内の郵便物または宅配荷物が盗難されたことをアラームするインターホンシステムに関する。
【背景技術】
【０００２】
家の前に設置された収容箱内の郵便物または宅配荷物は、収容箱の取出部から盗難に遭いやすいという問題がある。この問題を解決するため、例えば特許文献１には、対象物の重量を常時監視し、対象物の重量が無くなったことを検知した場合にブザーなどの警報音を発する技術が記載されている。
【０００３】
しかしながら、特許文献１の技術を収容箱に適用しようとした場合、普段、家族の者（利用者）が当該収容箱に収容された対象物を取り出した場合でも警報音を発するので、収容箱としての利便性が損なわれてしまうという問題がある。
【先行技術文献】
【特許文献】
【０００４】
【特許文献１】特開２００３−６７５１号公報
【発明の概要】
【発明が解決しようとする課題】
【０００５】
本発明は、上記問題に鑑みてなされたものであり、その課題は、収容箱としての利便性を損なうことなく、収容箱内に収容された物が盗難されたことを検知し、利用者に通知することができるインターホンシステムを提供することにある。
【課題を解決するための手段】
【０００６】
上記課題を解決するために、本発明は、郵送された郵便物または宅配された荷物の盗難に係るアラーム情報を通知するインターホン親機と前記インターホン親機と接続されるインターホン子機から成るインターホンシステムであって、前記インターホン子機は、前記郵便物または宅配荷物を収容する所定の収容箱に取り付けられ、前記収容箱に収容されている郵便物または宅配荷物を取出すための取出部の開を検知するセンサ、およびまたは前記収容箱に郵便物または宅配荷物が収容されているか否かを検知するセンサから前記検知した前記取出部の開およびまたは前記収容箱に収容されている郵便物または宅配荷物の一部または全てが取り出されたか否かに係る取出情報を受信する手段を有し、前記受信した前記取出情報を前記インターホン親機へ送信し、前記インターホン親機は、前記インターホン子機から前記取出情報を受信する手段と、自インターホン親機が設置された居住空間の所定の出入口の開を検知するセンサから前記出入口の開に係る出入口開情報を受信する手段と、を有し、前記取出情報を受信してから予め定められた所定の時間内に、前記出入口開情報を受信しなかった場合に、自インターホン親機が備える表示部にアラーム情報を表示するまたは所定の宛先に通知することを特徴とする。
【発明の効果】
【０００７】
本発明によれば、盗難アラーム機能を有するインターホンシステムのインターホン子機は、収容箱内に収容された物の取出しを検知し、前記取出しに係る取出情報をインターホン親機へ送信し、インターホン親機は、前記インターホン子機から前記取出情報を受信してから、予め定められた所定の時間内に、居住空間の所定の出入口の開を検知しなかった場合に、利用者に盗難のアラーム情報を通知する。これにより、収容箱としての利便性を損なうことなく、収容箱内に収容された物が盗難されたことを検知し、利用者に通知することができる。
【図面の簡単な説明】
【０００８】
【図１】本発明の実施形態におけるインターホンシステムの全体構成図およびインターホンシステムのインターホン親機とインターホン子機、収容箱、玄関ドアの各機能ブロック図である。
【図２】本発明の実施形態によるインターホン親機の動作フローチャートである。
【図３】本発明の実施形態によるインターホン子機の動作フローチャートである。
【発明を実施するための形態】
【０００９】
以下、本発明の実施形態について、図面を用いて説明する。
【００１０】
図１は、本発明の実施形態におけるインターホンシステムの全体構成図およびインターホンシステムのインターホン親機１とインターホン子機２、収容箱３、玄関ドア４の各機能ブロック図である。
【００１１】
図示するように、本発明によるインターホンシステムは、インターホン親機１、インターホン子機２、収容箱３、玄関ドア４、監視カメラ５から構成される。
【００１２】
インターホン親機１は、インターホン子機２と玄関ドア４、監視カメラ５、ネットワーク６に接続するインターホンであり、インターホン子機２を介して収容箱３に収容された対象物を監視し、対象物が盗難されたことを検知するとネットワーク６を介して盗難アラーム通報先７に通知する。
【００１３】
インターホン親機１は、操作部１０１、送受話部１０２、表示部１０３、監視カメラ制御部１０４、録画映像保存部１０５、子機通信部１０６、インターホン制御部１０７、ネットワーク通信部１１０、タイマ制御部１１１、取出検知時刻保存部１１２、盗難アラーム制御部１１３から構成される。
【００１４】
操作部１０１は、応答ボタン／終話ボタン（図示せず）等の入力操作を受付け、入力された操作をインターホン制御部１０７へ渡す。
【００１５】
送受話部１０２は、マイク／スピーカ（図示せず）を含み、子機通信部１０６を介して、呼出元のインターホン子機２側の者との通話を制御する。
【００１６】
表示部１０３は、文字や映像等を表示する表示部であり、例えば、ＬＣＤ（Ｌｉｑｕｉｄ  Ｃｒｙｓｔａｌ  Ｄｉｓｐｌａｙ）、ＥＬ等の平面ディスプレイである。なお、表示部１０３は、操作部１０１と一体化されたタッチパネルであってもよい。
【００１７】
監視カメラ制御部１０４は、監視カメラ５の設定値（例えば、監視カメラ５のアングル、画質、フレームレート等）を制御する制御部である。
【００１８】
録画映像保存部１０５は、監視カメラ５、収容箱内カメラ３０２、収容箱外カメラ３０３が撮像した映像を保存する保存部である。
【００１９】
子機通信部１０６は、インターホン子機２と通信するための通信制御部である。
【００２０】
インターホン制御部１０７は、インターホン子機２、監視カメラ５を含めたインターホンシステムとしての処理全般を実行する。インターホン制御部１０７は、操作部１０１から入力された操作または子機通信部１０６が受信したデータに従って各部を制御する。
【００２１】
ネットワーク通信部１１０は、インターネット網等のネットワークと通信する。
【００２２】
タイマ制御部１１１は、タイマを制御する制御部である。タイマ制御部１１１は、盗難アラーム制御部１１３から要求されるタイマ開始要求により、ドア開検知信号の受信を監視するタイマ（ドア開監視タイマと呼称する）を起動し、タイマ開始要求で指定された所定の時間が経過した場合に、盗難アラーム制御部１１３にタイマ満了通知を行う。また、タイマ制御部１１１は、盗難アラーム制御部１１３からタイマ停止要求を受信し、対応するドア開監視タイマが起動中であった場合に当該ドア開監視タイマを停止する。
【００２３】
取出検知時刻保存部１１２は、取出センサ３０１から取出検知信号を受信した時刻（取出検知時刻と呼称する）を保存する保存部である。
【００２４】
盗難アラーム制御部１１３は、取出センサ３０１からの取出検知信号の受信により、取出検知時刻保存部１１２に現在時刻を保存し、監視カメラ制御部１０４に監視カメラ５のアングルを収容箱方向に変更する指示を送信し、収容箱内カメラ３０２と収容箱外カメラ３０３に録画開始要求を行い、タイマ制御部１１１にドア開監視タイマのタイマ開始要求を行う。盗難アラーム制御部１１３は、タイマ制御部１１１からのドア開監視タイマのタイマ満了通知の前に、ドア開センサ４０１からドア開検知信号を受信した場合は、タイマ制御部１１１にドア開監視タイマのタイマ停止要求を行い、取出検知時刻保存部１１２に保存した取出検知時刻を削除し、監視カメラ制御部１０４に監視カメラ５のアングルを元の方向に変更する指示を送信し、収容箱内カメラ３０２と収容箱外カメラ３０３に録画停止要求を行う。盗難アラーム制御部１１３は、タイマ制御部１１１からのドア開監視タイマのタイマ満了通知の前に、ドア開センサ４０１からドア開検知信号を受信しなかった場合は、表示部１０３に盗難アラーム情報として取出検知時刻を表示し、録画映像保存部１０５から取出検知時刻前後の監視カメラ５、収容箱内カメラ３０２、収容箱外カメラ３０３の映像を抽出し、前記映像と取出検知時刻をネットワーク通信部１１０によって所定の宛先に送信し、監視カメラ制御部１０４に監視カメラ５のアングルを元の方向に変更する指示を送信し、収容箱内カメラ３０２と収容箱外カメラ３０３に録画停止要求を行う。なお、監視カメラ制御部１０４への監視カメラ５のアングルを収容箱方向に変更する指示およびアングルを元の方向に変更する指示は、アングルの変更だけでなく、画質とフレームレートの設定値を最大に変更する指示および画質とフレームレートの設定値を元の設定値に変更する指示であってもいい。
【００２５】
インターホン子機２は、操作部２０１、送受話部２０２、子機カメラ２０３、親機通信部２０４から構成される。
【００２６】
操作部２０１は、呼出ボタン（図示せず）の入力操作を受付け、入力された操作を、親機通信部２０４を介して、インターホン制御部１０７へ渡す。
【００２７】
送受話部２０２は、マイク／スピーカ（図示せず）を含み、親機通信部２０４を介して、呼出先のインターホン親機１側の者との通話を制御する。
【００２８】
子機カメラ２０３は、インターホン子機２に内蔵されたカメラである。
【００２９】
親機通信部２０４は、インターホン親機１と通信するための通信制御部である。
【００３０】
収容箱３は、取出センサ３０１、収容箱内カメラ３０２、収容箱外カメラ３０３から構成される。
【００３１】
取出センサ３０１は、収容箱内の取出しを検知するセンサであり、センサ検知により取出検知信号を、親機通信部２０４を介して、盗難アラーム制御部１１３に送信する。なお、検知方法は限定せず、収容箱の開を検知する接近センサ、収容箱内の一部または全ての取出しを検知する重力センサや光センサであってもよい。
【００３２】
収容箱内カメラ３０２は、収容箱の内部に設置され、収容箱内の郵便物または宅配荷物にアングルが向けられたカメラである。盗難アラーム制御部１１３からの録画開始要求により、録画映像保存部１０５に録画映像の保存を開始し、盗難アラーム制御部１１３からの録画停止要求により、録画映像保存部１０５への録画映像の保存を停止する。
【００３３】
収容箱外カメラ３０３は、収容箱の外部に設置され、収容箱内の郵便物または宅配荷物の取出者の顔にアングルが向けられたカメラである。盗難アラーム制御部１１３からの録画開始要求により、録画映像保存部１０５に録画映像の保存を開始し、盗難アラーム制御部１１３からの録画停止要求により、録画映像保存部１０５への録画映像の保存を停止する。
【００３４】
玄関ドア４は、ドア開センサ４０１を具備する。
【００３５】
ドア開センサ４０１は、居住空間の所定の出入口の開を検知するセンサであり、センサ検知によりドア開検知信号を盗難アラーム制御部１１３に送信する。
【００３６】
なお、本発明の実施形態では、居住空間の所定の出入口の開を検知することでドア開検知信号を送信するが、ドア開検知信号の代わりに、居住空間の所定の出入口の鍵の施錠を検知する施錠センサを設け、施錠センサが施錠されたことを検知すると、ドア施錠信号を盗難アラーム制御部１１３に送信するようにしてもよい。
【００３７】
監視カメラ５は、収容箱の近傍に設置された監視カメラである。
【００３８】
ネットワーク６は、インターネット網等のネットワークである。
【００３９】
盗難アラーム通報先７は、ネットワーク６を介してインターホン親機１と接続された、盗難アラームの通報先である。
【００４０】
図２は、本発明の実施形態によるインターホン親機１の動作フローチャートである。本フローチャートは、電源が投入された状態からスタートする（Ｓ１００）。
【００４１】
インターホン親機１は、電源が投入されると、取出センサ３０１の取出検知信号を受信する（Ｓ１１０）、または、取出検知時刻前後の録画映像の再生操作を検知する（Ｓ１４０）、または、インターホン子機２から呼出信号を受信する（Ｓ１５０）、または、インターホン呼出しに対応する応答操作や終話操作等のインターホン動作に関わる操作を検知する（Ｓ１６０）のいずれかの状態になるのを待つ。
【００４２】
取出センサ３０１の取出検知信号を受信すると（Ｓ１１０、ＹＥＳ）、インターホン親機１は、取出検知時刻として現在の時刻を保存する（Ｓ１１１）。そして、インターホン親機１は、当該監視カメラ５のアングルを収容箱３の方向へ向くように指示する旨の変更指示を監視カメラ５へ送信する（Ｓ１１２）。さらに、インターホン親機１は、収容箱３の収容箱内カメラ３０２と収容箱外カメラ３０３へ当該カメラの録画開始を要求する（Ｓ１１３）と共に、ドア開監視タイマを起動する（Ｓ１１４）。
【００４３】
そして、インターホン親機１は、ドア開監視タイマがタイムアウトする（Ｓ１２０）、または、ドア開センサ４０１のドア開検知信号を受信する（Ｓ１３０）のいずれかの状態になるのを待つ。
【００４４】
ドア開監視タイマがタイムアウトすると（Ｓ１２０、ＹＥＳ）、インターホン親機１は、インターホン親機１の画面に盗難アラーム情報として取出検知時刻を表示する（Ｓ１２１）。そして、インターホン親機１は、監視カメラ５と収容箱内カメラ３０２と収容箱外カメラ３０３の録画映像から取出検知時刻前後の録画映像を抽出する（Ｓ１２２）。そして、インターホン親機１は、通報先へ抽出した取出検知時刻前後の録画映像と取出検知時刻を送信する（Ｓ１２３）。そして、インターホン親機１は、当該監視カメラ５のアングルを元の方向へ向くように指示する旨の変更指示を監視カメラ５へ送信する（Ｓ１２４）。そして、インターホン親機１は、収容箱内カメラ３０２と収容箱外カメラ３０３へ録画停止要求を行い（Ｓ１２５）、ステップ１１０へ戻る。
【００４５】
ドア開センサ４０１のドア開検知信号を受信すると（Ｓ１３０、ＹＥＳ）、インターホン親機１は、ドア開監視タイマを停止する（Ｓ１３１）。そして、インターホン親機１は、保存した取出検知時刻を削除する（Ｓ１３２）。そして、インターホン親機１は、ステップ１２４へ移行する。
【００４６】
取出検知時刻前後の録画映像の再生操作を検知すると（Ｓ１４０、ＹＥＳ）、インターホン親機１は、取出検知時刻前後の録画映像を再生し（Ｓ１４１）、ステップ１１０へ戻る。
【００４７】
インターホン子機２から呼出信号を受信すると（Ｓ１５０、ＹＥＳ）、インターホン親機１は、呼出音を鳴動し（Ｓ１５１）、ステップ１１０へ戻る。
【００４８】
インターホン動作に関わる操作を検知すると（Ｓ１６０、ＹＥＳ）、インターホン親機１は、操作に応じたインターホン処理を実行し（Ｓ１６１）、ステップ１１０へ戻る。
【００４９】
図３は、本発明の実施形態によるインターホン子機２の動作フローチャートである。本フローチャートは、電源が投入された状態からスタートする（Ｓ２００）。
【００５０】
インターホン子機２は、電源が投入されると、収容箱３の取出センサ３０１が取出検知する（Ｓ２１０）、または、インターホン親機１から収容箱内カメラ３０２での録画開始要求を受信する（Ｓ２２０）、または、インターホン親機１から収容箱外カメラ３０３での録画開始要求を受信する（Ｓ２３０）、または、呼出操作を検知する（Ｓ２４０）、のいずれかの状態になるのを待つ。
【００５１】
収容箱３の取出センサ３０１が取出検知すると（Ｓ２１０、ＹＥＳ）、インターホン子機２は、インターホン親機１に取出検知信号を送信し（Ｓ２１１）、ステップ２１０へ戻る。
【００５２】
インターホン親機１から収容箱内カメラ３０２での録画開始要求を受信すると（Ｓ２２０、ＹＥＳ）、インターホン子機２は、収容箱内カメラ３０２での録画を開始し（Ｓ２２１）、ステップ２１０へ戻る。
【００５３】
インターホン親機１から収容箱外カメラ３０３での録画開始要求を受信すると（Ｓ２３０、ＹＥＳ）、インターホン子機２は、収容箱外カメラ３０３での録画を開始し（Ｓ２３１）、ステップ２１０へ戻る。
【００５４】
呼出操作を検知すると（Ｓ２４０、ＹＥＳ）、インターホン子機２は、インターホン親機１に呼出信号を送信し（Ｓ２４１）、ステップ２１０へ戻る。
【００５５】
以上、本発明の実施形態について、説明した。
【００５６】
本発明の実施形態では、インターホン子機２は、収容箱内に収容された物の取出しを検知し、前記取出しに係る取出情報をインターホン親機１へ送信し、インターホン親機１は、前記インターホン子機２から前記取出情報を受信してから、予め定められた所定の時間内に、居住空間の所定の出入口の開を検知しなかった場合に、利用者に盗難のアラーム情報を通知する。これにより、収容箱としての利便性を損なうことなく、収容箱内に収容された物が盗難されたことを検知し、利用者に通知することができる。
【００５７】
また、本発明の実施形態では、インターホン親機１またはインターホン子機２は、収容箱内に収容された物の取出しを検知した場合に、当該検知した時刻に係る情報と、前記時刻に対応する映像情報を、監視カメラ５およびまたは収容箱内カメラ３０２およびまたは収容箱外カメラ３０３が撮影した映像情報を蓄積する映像情報蓄積装置から取得する。これにより、収容箱内に収容された物が盗難された場合に、犯人と、盗難された物を映像で確認することができ、犯人特定および証拠として活用することができる。
【符号の説明】
【００５８】
１：インターホン親機
１０１：操作部
１０２：送受話部
１０３：表示部
１０４：監視カメラ制御部
１０５：録画映像保存部
１０６：子機通信部
１０７：インターホン制御部
１１０：ネットワーク通信部
１１１：タイマ制御部
１１２：取出検知時刻保存部
１１３：盗難アラーム制御部
２：インターホン子機
２０１：操作部
２０２：送受話部
２０３：子機カメラ
２０４：親機通信部
３：収容箱
３０１：取出センサ
３０２：収容箱内カメラ
３０３：収容箱外カメラ
４：玄関ドア
４０１：ドア開センサ
５：監視カメラ
６：ネットワーク
７：盗難アラーム通報先
【図１】
0006601301.tif 000002
【図２】
0006601301.tif 000003
【図３】
0006601301.tif 000004